(57)【要約】  【課題】薄型のダンパー開閉機構を提案し、省スペース、省配線の風路構成を実現するものである。  【解決手段】ダンパー開閉機構１７，１８，１９，２０，２１は、キュリー温度を基準として磁性を得失する感温磁性材料と永久磁石または電磁石を利用した駆動装置と、風路を連通または遮断する開閉機構で構成することにより、駆動源の小型化と無電力化が可能となり、風路の省スペース化が実現でき、且つ無配線で冷却機器による温調を行うことができる薄型ダンパー開閉機構を提供できるものである。【選択図】図１
2007120801.tif 000002
【特許請求の範囲】
【請求項１】
キュリー温度を基準として磁性を得失する感温磁性材料と磁石を利用した駆動装置と、吐出口を設けた固定板と、通風口を設けられた可動板とを備え、前記駆動装置によって動作した前記可動板の通風口と前記固定板の吐出口が合わさったときに連通する機構としたダンパー開閉機構。
【請求項２】
前記駆動装置と、シャッターを備え、前記シャッターは前記駆動装置によって開閉する機構としたダンパー開閉機構。
【請求項３】
ヒンジ部を軸として回転動作することで開閉するひとつまたは複数個で構成される開閉板と、前記開閉板の前記ヒンジ部に設けられた前記感温磁性材料と、磁石を備え、前記感温磁性材料が磁性を持ったときに前記永久磁石に引き付けられ前記開閉板が動作する機構としたダンパー開閉機構。
【請求項４】
それぞれが異なるキュリー温度を持つ複数の感温磁性材料と、これらの感温磁性材料をそれぞれ取り付けた複数の開閉部材を備え、温度帯によって前記開閉部材が各々独立して開閉する機構とした請求項１から請求項３のいずれか一項に記載のダンパー開閉機構。
【請求項５】
前記感温磁性材料と磁石による動作を伝達する伝達機構を備え、前記感温磁性材料が、温調を行う空間の温度を検知できる位置に設けられた請求項１から請求項４のいずれか一項に記載のダンパー開閉機構。
【請求項６】
前記感温磁性材料が磁性を得たときに閉じ、磁性を失ったときに開くこととした請求項１から請求項５のいずれか一項に記載のダンパー開閉機構。
【請求項７】
前記感温磁性材料の近傍にヒータを設け、このヒータに通電加熱することで前記感温磁性材料の磁性を強制的に失わせることができる機構とした請求項１から請求項６のいずれか一項に記載のダンパー開閉機構。
【請求項８】
吸湿材または調湿材を備えた請求項１から請求項７のいずれか一項に記載のダンパー開閉機構。
【請求項９】
熱伝導性の低い材料で構成された請求項１から請求項８のいずれか一項に記載のダンパー開閉機構。
【請求項１０】
凍結防止ヒータを設けた請求項１から請求項９のいずれか一項に記載のダンパー開閉機構。
【請求項１１】
請求項１から請求項１０のいずれか一項に記載のダンパー開閉機構を温度制御を行う空間の吐出口に設けた冷却機器。
【請求項１２】
請求項１から請求項１０のいずれか一項に記載のダンパー開閉機構を温度制御を行う空間の吐出口に複数設けた冷却機器。
【請求項１３】
請求項１から請求項１０のいずれか一項に記載のダンパー開閉機構を風路内に斜めに設けた冷却機器。
【発明の詳細な説明】
【技術分野】
【０００１】
本発明は冷却機器に搭載されるダンパー開閉機構に関するものである。
【背景技術】
【０００２】
今日、冷蔵庫や車用エアコンなどの冷却機器には、風路を連通または遮断するためのダンパー開閉機構が設けられており、これによって精密な温調を可能としている。
【０００３】
一般に、ダンパー開閉機構は風路の途中経路に設けられているが、従来のモータを用いたダンパー開閉機構は体積が大きく、よって風路容積もダンパー開閉機構に合わせて大きくならざるを得ない。また、モータを駆動するための回路から風路内までの長い配線の引き回しが必要である。ユーザーにとって風路はデッドスペースであり、何らのメリットを生み出すものではない。よって風路容積の削減はメーカーにとって大きな課題となっている。
【０００４】
例えば家庭用冷蔵庫は、特許文献１に開示された様に、食品等の収納室の奥側（裏面側）に風路が設けられ、この風路内に冷却器が設置されている。また風路には冷却器の近傍に送風機が設けられ、収納室内の空気を風路に導入し、冷却器に通過させて空気を冷却した後、収納室に戻している。この風路の途中経路にはダンパー開閉機構が設けられており、収納室への空気を連通、および遮断する。
【０００５】
図１１は、特許文献１に記載された従来技術の冷蔵庫の断面図である。
【０００６】
家庭用冷蔵庫では、例えば図１１の様に冷蔵庫１００の庫内を冷蔵室１０１、貯蔵室１０２、野菜室１０３、冷凍室１０４という様に４個の収納室に区画している。そしてこれらの各収納室の奥側（裏面側）に複数系統の風路１０５が設けられている。
【０００７】
また風路１０５内には動力によって開閉されるダンパー開閉機構１０６が内蔵されており、風路１０５を流れる冷風を断続的に供給している。本図にはダンパー開閉機構は冷蔵室１０１への経路一つにしか描かれていないが、他の収納室への経路にも設けられていることが多い。
【０００８】
風路１０５には前述した様に冷却器１０７があり、ここで冷却された空気を送風するためにファン１０８が設けられている。
【０００９】
従来技術の冷蔵庫では、各収納庫の温度を監視し、収納庫内の温度が所望の範囲となるようにダンパー開閉機構１０６を開閉して冷風を収納室に吐出する。
【００１０】
また、モータ以外の簡易的な構成を持つ開閉機構として、例えば特許文献２に記載された加熱調理器のように、加熱調理器の排気口に発火時の排熱温度に設定したキュリー温度を有する磁性金属材料を用いた遮断扉を備え、排熱温度がキュリー温度を超えると遮断扉の磁性が失われて排気口を閉じ、排気口からの酸素供給を断つと共に、煙が加熱室外へ漏出するのを防止するものがある。
【００１１】
図１２は、特許文献２に記載された従来技術の加熱調理器の側面断面図である。
【００１２】
図１２において、加熱調理器１１０は加熱室１１１に開口部１１２を設け、この開口部１１２には排気筒１１３が設けられている。加熱室１１１内部で発火が起きた際には、所定のキュリー温度を有する磁性金属材料を用いたシャッター１１４が高温を検知して磁性を失い、永久磁石１１５による吸引力が無効化されて開口部１１２を閉じる。
【特許文献１】特開平１１−２７０９５６号公報
【特許文献２】特開２００２−２２８１６６号公報
【発明の開示】
【発明が解決しようとする課題】
【００１３】
従来の特許文献１に記載の冷蔵庫では、前述した様にモータで駆動されるダンパー開閉機構が設けられている。ダンパー開閉機構はステッピングモータを駆動源としたものが一般的で、この駆動源の体積は大きく、特に風路の奥行き方向への厚みが増し、風路容積を増大させている。
【００１４】
また、モータを駆動するための回路から風路内までの長い配線の引き回しが必要である。特に配線は、制御基板が取り付けられた箇所から風路内のダンパー開閉機構まで長く引き回す必要があり、組立て性においても好ましくない。
【００１５】
また、特許文献２に記載の加熱調理器は、駆動源として感温磁性材料と永久磁石を用い簡易化を図っているが、シャッターの動作距離が長く、その分のスペースは当然デットスペースとなり、ダンパー開閉機構全体として小型化を実現できたとは言えない。また、この機構はあくまで発煙・発火および火災を未然に防ぐ安全装置としてのものであり、高温になれば閉じる、といった閉動作しか行えず、温調用のダンパー開閉機構として積極的に利用するものではない。
【００１６】
本発明は、従来技術の問題点に基づき、小型の駆動源で動作する薄型のダンパー開閉機構を用い、省スペース、省配線の風路を提供することを課題とするものである。
【課題を解決するための手段】
【００１７】
上記従来の課題を解決するために、本発明のダンパー開閉機構は、キュリー温度を基準として磁性を得失する感温磁性材料と磁石を利用した駆動装置と、風路を連通または遮断する開閉機構で構成され、主に冷却機器による温調を行うための小型、薄型ダンパー開閉機構である。
【発明の効果】
【００１８】
これにより、駆動源の小型化と無電力化が可能となり、風路の省スペース化が実現でき、且つ無配線で冷却機器による温調を行うことができる。
【発明を実施するための最良の形態】
【００１９】
請求項１に記載の発明は、キュリー温度を基準として磁性を得失する感温磁性材料と磁石を利用した駆動装置と、吐出口を設けた固定板と、通風口を設けられた可動板とを備え、前記駆動装置によって動作した前記可動板の通風口と前記固定板の吐出口が合わさったときに連通する機構とすることにより、駆動源の小型化と無電力化が可能となり、風路の省スペース化が実現でき、且つ無配線で駆動する薄型のダンパー開閉機構を実現できる。
【００２０】
請求項２に記載の発明は、前記駆動装置と、シャッターを備え、前記シャッターは前記駆動装置によって開閉する機構とすることにより、薄型で且つ開口面積の大きいダンパー開閉機構を実現できる。
【００２１】
請求項３に記載の発明は、ヒンジ部を軸として回転動作することで開閉するひとつまたは複数個で構成される開閉板と、前記開閉板の前記ヒンジ部に設けられた前記感温磁性材料と、磁石を備え、前記感温磁性材料が磁性を持ったときに前記永久磁石に引き付けられ前記開閉板が動作する機構とすることにより、回転開閉型のダンパー開閉機構にもかかわらず小型の構成を実現できる。
【００２２】
請求項４に記載の発明は、請求項１から請求項３のいずれか一項に記載の構成において、それぞれが異なるキュリー温度を持つ複数の感温磁性材料と、これらの感温磁性材料をそれぞれ取り付けた複数の開閉部材を備え、温度帯によって前記開閉部材が各々独立して開閉する機構とすることにより、高温になるほど開口面積が大きくなるダンパー開閉機構を実現できる。
【００２３】
請求項５に記載の発明は、請求項１から請求項４のいずれか一項に記載の構成に加えて、前記感温磁性材料と磁石による動作を伝達する伝達機構を備え、前記感温磁性材料を温調を行う空間の温度を検知できる位置に設けることにより、ダンパー開閉機構が温調を行う空間付近に無くても、この空間の温度に基づいた温調を行うことができる。
【００２４】
請求項６に記載の発明は、請求項１から請求項５のいずれか一項に記載の構成において、前記感温磁性材料が磁性を得たときに閉じ、磁性を失ったときに開くこととすることにより、冷やしたいときには冷気の通風を行い、充分に冷えたときには遮断する風路を構成できる。
【００２５】
請求項７に記載の発明は、請求項１から請求項６のいずれか一項に記載の構成に加えて、前記感温磁性材料の近傍にヒータを設け、このヒータに通電加熱することで前記感温磁性材料の磁性を強制的に失わせることができる機構とすることにより、検知温度にかかわらずダンパー開閉機構を動作することができる。
【００２６】
請求項８に記載の発明は、請求項１から請求項７のいずれか一項に記載の構成に加えて、吸湿材または調湿材を備えることにより、ダンパー開閉機構周辺を除湿することで、低温域の風路においてダンパー開閉機構周辺の水分が付着凍結し、開閉しなくなる不具合を防止することができる。
【００２７】
請求項９に記載の発明は、請求項１から請求項８のいずれか一項に記載の構成において、熱伝導性の低い材料で構成することにより、低温域の風路において、熱伝導性の高い部品付近に水分が付着凍結し、ダンパー開閉機構が開閉しなくなる不具合を防止することができる。
【００２８】
請求項１０に記載の発明は、請求項１から請求項９のいずれか一項に記載の構成において、凍結防止ヒータを設けることにより、低温域の風路においてダンパー開閉機構周辺の水分が付着凍結しないように、ヒータを通電加熱することができる。
【００２９】
請求項１１に記載の発明は、請求項１から請求項１０のいずれか一項に記載のダンパー開閉機構を、温度制御を行う空間の吐出口に設けることにより、温調を行う空間の温度を直接検知することができる。
【００３０】
請求項１２に記載の発明は、請求項１から請求項１０のいずれか一項に記載のダンパー開閉機構を、温度制御を行う空間の吐出口に複数設けることにより、同じ空間内でも冷えていない箇所のみを冷やすなど、より精密な温度制御ができる。
【００３１】
請求項１３に記載の発明は、請求項１から請求項１０のいずれか一項に記載のダンパー開閉機構を、風路内に斜めに設けることにより、縦、または横向きに設置する時と比べて、風路容積および風路抵抗を増加させることなく、風路容積を有効に使うことができる。
【００３２】
以下、本発明の実施の形態について、図面を参照しながら説明する。なお、この実施の形態によってこの発明が限定されるものではない。
【００３３】
（実施の形態１）
図１は本発明の実施の形態１におけるダンパー開閉機構を設けた冷蔵庫の側面断面図である。
【００３４】
本実施の形態のダンパー開閉機構を設けた冷蔵庫１は、図１の様に４室の収納室に区画されている。即ち冷蔵庫１は、庫内が４室に区切られ、上から、冷蔵用収納室２、温度切替用収納室３、野菜用収納室４、冷凍用収納室５として機能する。各収納室２から５には正面側にそれぞれ扉６や引出し扉７，８，９が設けられている。また、各収納室２から５は断熱壁で覆われている。
【００３５】
各収納室２から５の奥側（裏面側）には、発泡スチロールなどの断熱材で形成された風路１０が設けられ、この風路１０内に冷却器１１が内蔵されている。
【００３６】
冷却器１１は、インバータ圧縮機、凝縮器、膨張弁（図示せず）に接続されて一連の冷凍サイクルを構成するものである。
【００３７】
風路１０と、各収納室２から５との間は奥壁１２，１３，１４，１５によって仕切られている。そして、この風路１０内の冷却器１１近傍には冷却器ファン１６が設けられている。この冷却器ファン１６によって、冷却器１１にて空気を冷却した後、収納室２から５へと冷気を導入し循環させた後、冷却器１１に戻している。
【００３８】
また、風路１０から各収納室の吐出口にはダンパー開閉機構１７，１８，１９，２０，２１が設けられており、収納室への空気を通風、および遮断する。ダンパー開閉機構は必ずしも全ての収納室への吐出口に設ける必要はなく、温調を行うにあたって風路の連通および遮断が必要な収納室への吐出口にのみ設置すれば良い。
【００３９】
また、冷蔵用収納室２にはダンパー開閉機構１７、１８の２つが設けられているが、これは温調をより精密に行うためであり、例えばダンパー開閉機構１７の付近は設定温度通りだがダンパー開閉機構１８の付近は設定温度に対して冷えていないとき、ダンパー開閉機構１８のみを開いて冷気を導入する。つまり、同じ空間内でも冷えていない箇所だけを冷やす、といった温調が可能になり、温度ムラを改善できる。
【００４０】
前述したダンパー開閉機構１７から２１は、後述する感温磁性材料と永久磁石または電磁石を利用して動作するものである。モータを駆動源としたダンパー開閉機構はその動力を伝達するためのギア機構等が必要で、総じてダンパー開閉機構は大きなものとなり風路容積を増大させる。また、取付け箇所にも工夫が必要で、なるべく収納室の容積を削らないように考慮しなければならず、風路設計に融通が利かない。
【００４１】
しかし、本実施の形態のダンパー開閉機構１７から２１の駆動源は小型であり、薄型のダンパー開閉機構を構成することができる。よって、風路は奥行き方向の厚みを削減することができ、その分を収納室の容積として加算できるし、取り付け箇所を選ばない。吐出口への取付けも容易である。また、本実施の形態では取り付け箇所を吐出口としているが、前述したようにダンパー開閉機構１７から２１は薄型で、収納室の容積を削ることがないため、あらゆる箇所への取付けが可能である。
【００４２】
例えば図２に示すようにダンパー開閉機構を風路内に設けても良い。
【００４３】
図２は本発明の実施の形態１において、風路内にダンパー開閉機構を斜めに設けた冷蔵庫の側面断面図である。
【００４４】
図２において、ダンパー開閉機構２２ａ、２２ｂは風路２３内に斜めに設置した。このように薄型のダンパー開閉機構２２ａ、２２ｂを斜めに設置することで、風路２３の奥行きを増加させることなく、風路を構成することができる。
【００４５】
次に、感温磁性材料と永久磁石または電磁石を利用した駆動装置の一例を示す。
【００４６】
一般的に感温磁性材料は任意に定められたキュリー温度以下では磁性を保ち、キュリー温度以下になると急激に磁性を失う。つまり、所定の温度以下では磁石に引寄せられる性質を持つが、所定温度以上になると磁石には引寄せられなくなる。
【００４７】
図３（ａ）（ｂ）は本実施の形態の感温磁性材料と永久磁石を利用した駆動装置を示す例図である。
【００４８】
図３の（ａ）において永久磁石３１は固定されており、ここから距離Ｄをおいて感温磁性材料３２が設けられている。感温磁性材料３２はバネ３３の方端と接続されており、その逆端は固定されている。
【００４９】
例えば、この感温磁性材料３２のキュリー温度を１０℃とすると、周囲温度が１０℃以上の場合は、感温磁性材料３２は磁性を失っているため永久磁石３１には引き付けられず、図３の（ａ）のように距離Ｄをおいたまま動作しない。しかし、周囲温度が１０℃未満になると、図３の（ｂ）のように、感温磁性材料３２は磁性を持ち、永久磁石３１に引き付けられる動作を行う。さらに、再度周囲温度が１０℃以上になると、感温磁性材料３２は再度磁性を失い、バネ３３によって図３の（ａ）の位置に戻る。距離Ｄをさらに延長し動作の幅を大きなものにするためには、永久磁石３１をネオジム磁石等の磁力が大きなものを選定すれば良い。
【００５０】
また、図３では永久磁石３１を用いているが、電磁石を代わりに用いても良い。特に永久磁石３１自身のキュリー温度を越えるような高温下で使用する際には、電磁石を用いることが必須である。
【００５１】
このように温度変化に伴う特性の変化を利用することで、温度センサ等の検知手段も必要なく、また永久磁石を使用する場合には無電力で動作するため配線も必要なく、小型且つ独立して動作するダンパー開閉機構の駆動装置を構成することができる。
【００５２】
また、この応用として、感温磁性材料３２近傍にヒータ（図示せず）を設ける手法が考えられる。これはヒータを通電加熱することで、感温磁性材料３２の温度を強制的に上昇させ、磁性を失わせる手法である。この手法は、他の箇所に設けられた温度センサ等の検知温度に基づいて駆動させたいときや、ファン等の動作に連動させたいときに有効であり、感温磁性材料の検知温度にかかわらず動作させることができる。
【００５３】
以下に説明する具体的な機構例においても、当然、永久磁石と電磁石のいずれを使用しても良いし、感温磁性材料の近傍にヒータを設ける仕様としても良い。また、永久磁石３１と感温磁性材料３２の設置箇所は逆でも良い。
【００５４】
次に、ダンパー開閉機構の具体的な機構を例を挙げて説明する。
【００５５】
図４は本実施の形態においてスライド開閉するダンパー開閉機構の斜視図である。
【００５６】
図４において、固定板４１には横長のスリット４２ａ，４２ｂ，４２ｃ，４２ｄが一定のピッチ間で複数設けられ、固定板４１の片端には磁石４３が設けられている。また、固定板４１には、後述する可動板の動作を導くレール４４ａ，４４ｂ，４４ｃ，４４ｄが設けられている。
【００５７】
可動板４５にも固定板４１と同様にスリット４６ａ，４６ｂ，４６ｃ，４６ｄが設けられており、可動板４５の片端には感温磁性材料４７が設けられている。この感温磁性材料４７のキュリー温度は５℃とする。また、可動板４５にはガイド軸４８ａ，４８ｂ，４８ｃ，４８ｄが設けられており、動作時はレール４４ａから４４ｄに導かれる。ダンパー開閉機構４９は前述した固定板４１と、可動板４５を組み合わせたものである。
【００５８】
図５は本実施の形態においてスライド開閉するダンパー開閉機構が開いているときの側面断面図である。
【００５９】
ダンパー開閉機構４９は収納室５０への風路５１の吐出口に取り付けられている。収納室５０の奥壁５２には固定板４１および可動板４５と同ピッチ間で吐出口５３ａ，５３ｂ，５３ｃ，５３ｄが設けられ、また奥壁５２には感温磁性材料４３の手前に感温用スリット５４が設けられている。収納室内の温度はこの感温用スリット５４を通して感温磁性材料４７が検知する。
【００６０】
収納室５０内の温度が５℃以上のとき、感温磁性材料４７は磁性を失っており、磁石４３には引き付けられないため動作しない。このときスリット４２ａから４２ｄ、４６ａから４６ｄ、５３ａから５３ｄが重なる状態となり、収納室５０と風路５１は連通して冷気が収納室５０内へと流れ込み、収納室５０は冷却される。
【００６１】
図６は本実施の形態においてスライド開閉するダンパー開閉機構が閉じているときの側面断面図である。
【００６２】
収納室５０内が充分に冷却され、５℃未満になると感温磁性材料４７は磁性を持ち、磁石４３に引き付けられる。つまり、可動板４５は磁石４３の方向へと持ち上がる。このとき図６のように、スリット４２ａから４２ｄとスリット４６ａから４６ｄは互い違いとなり、固定板４１のスリット４２ａから４２ｄは、可動板４５の非スリット部に貼り付けられたフォーム５５によって塞がれ、収納室５０と風路５１とは遮断されて冷気の供給は止まる。
【００６３】
このとき、風路を完全に遮断するためには固定板４１と可動板４５が密着しなければならない。よって、レール４４ａから４４ｄを設け、これにガイド軸４８ａから４８ｄを沿わせることにより、可動板４５が持ち上がる際に固定板４１と可動板４５が密着状態となり、収納室５０と風路５１との連通を完全に遮断する。
【００６４】
再度、収納室内の温度が５℃以上になると、感温磁性材料４７は磁性を失い、磁石４３から離れ、自重またはバネ（図示せず）等により図５の位置に戻り、収納室５０と風路５１は連通して冷気が収納室５０内へと流れ込み、収納室５０は冷却される。
【００６５】
本図では、ダンパー開閉機構４９は直線的なスライド開閉を行う構成であるが、固定板４１と可動板４５が回転スライドして開閉する構成等も考えられる。
【００６６】
以上のように、駆動源の小型化と無電力化が可能となり、風路の省スペース化が実現でき、且つ無配線でダンパー開閉機構を駆動する薄型のダンパー開閉機構を実現できる。
【００６７】
図７は本実施の形態におけるアイリスシャッター形状の開閉機構を持つダンパー開閉機構の正面図、図８は本実施の形態におけるアイリスシャッター形状の開閉機構の詳細図である。
【００６８】
図７および図８において、ダンパー開閉機構６０にはアイリスシャッター形状のシャッター６１が設けられている。このシャッター６１の回転板６２上に複数の作動板６３が設けられ、作動板６３の片端は長穴６４を通してスライド軸６５によって取り付けられ、作動板６３のもう片端は固定板６６上に回転軸６７によって取り付けられている。回転板６２に固定された操作板６８を左に動かすとシャッター６１は開き、操作板６８を右に動かすとシャッター６１は閉じる。操作板６８は連結軸６９を通じて駆動装置７０と接続されている。つまり、駆動装置７０の動作により、操作板６８が操作されシャッター６１が開閉する機構である。駆動装置７０は図３に示した様な構成を応用したものである。
【００６９】
このように、アイリスシャッター形状をとることで、薄型で且つ開口面積の大きいダンパー開閉機構を実現できる。
【００７０】
図９は本実施の形態のヒンジ部を軸として回転開閉動作するダンパー開閉機構の側面断面図である。
【００７１】
図９において、ダンパー開閉機構８０の開閉機構は、ヒンジ部８１ａ，８１ｂ，８１ｃを軸として回転開閉動作を行う開閉板８２ａ，８２ｂ，８２ｃで構成されている。本図では開閉板を３枚設けているが、これは開閉板が１枚のときと比較して、ダンパー開閉機構が開いたときの奥行き寸法が小さくできるからである。当然開閉板の数を増やすことでダンパー開閉機構の奥行き寸法はさらに減少できる。
【００７２】
ヒンジ部８１ａから８１ｃにはバネ（図示せず）が取り付けられ開閉板８２ａから８２ｃは常に開方向に力が加わっている。また、ヒンジ部８１ａから８１ｃには感温磁性材料８３ａ，８３ｂ，８３ｃが取り付けられており、磁石８４ａ，８４ｂ，８４ｃは、開閉板８２ａから８２ｃが閉じたときに感温磁性材料８３ａから８３ｃと合わさるように設けられている。感温磁性材料８３ａから８３ｃをヒンジ部８１ａから８１ｃに取り付けることで簡易な構成をとることができ、また、ヒンジ部８１ａから８１ｃを直接動作することで、小さな動作距離で開閉板８２ａから８２ｃを開閉することが可能となる。磁石８４ａから８４ｃにより、感温磁性材料８３ａから８３ｃが引き付けられるための距離は磁力の強さに左右されるが、両者の距離が小さい程この構成は容易になるため、ヒンジ部８１ａから８１ｃを直接回転動作させる手法は有効である。
【００７３】
磁石８４ａから８４ｃは、感温磁性材料８３ａから８３ｃが引き付けられたときに開閉板８２ａから８２ｃが閉じる位置になるように設けられている。つまり、感温磁性材料８３ａから８３ｃがキュリー温度以上で磁性を失っているときには、バネの力で開閉板８２ａから８２ｃは開き、キュリー温度未満で磁性を得たときには、磁石８４ａから８４ｃに引き付けられて開閉板８２ａから８２ｃは閉じる。
【００７４】
このように、回転開閉動作型ダンパー開閉機構でも小型の構成を実現できる。
【００７５】
また、感温磁性材料８３ａから８３ｃのキュリー温度を異なる温度に設定しておく手法も考えられる。例えば感温磁性材料８３ａのキュリー温度を３℃、８３ｂのキュリー温度を５℃、８３ｃのキュリー温度を７℃と設定すると、温調空間内の温度が３℃未満のときは開閉板８２ａから８２ｃは全て閉じ、３℃から５℃のときは開閉板８２ａのみ開き、５℃から７℃のときは開閉板８２ａ、８２ｂの二つが開き、７℃以上では開閉板８２ａから８２ｃは全て開く。このように開口面積を変化させ、より精密な温調を行うことも可能である。また、各々の感温磁性材料のキュリー温度は例えば、冷凍約−１８℃、ソフト冷凍約−７℃から−１０℃、パーシャル約−３℃、チルド約０℃の各温度に設定可能である。
【００７６】
図１０は本実施の形態のヒンジ部を軸として回転開閉動作するダンパー開閉機構において感温磁性材料を温調空間に設けた機構の側面断面図である。
【００７７】
図１０において、ダンパー開閉機構９０の開閉機構は、ヒンジ部９１ａ，９１ｂ，９１ｃを軸として回転開閉動作を行う開閉板９２ａ，９２ｂ，９２ｃで構成されている。ヒンジ部９１ａから９１ｃにはバネ（図示せず）が取り付けられ開閉板８２ａから８２ｃは常に開方向に力が加わっている。また、ヒンジ部９１ａから９１ｃにはワイヤー９３が取り付けられており、ワイヤー９３は滑車９４を介して永久磁石９５に接続されている。感温磁性材料９６は永久磁石９５付近で温調を行う空間の温度を検知できる位置に固定されており、温調を行う空間が充分に冷却され、感温磁性材料９６が磁性を得て永久磁石９５が引き付けられたとき、開閉板９２ａから９２ｃが閉じる機構である。開閉板９２ａから９２ｃの温度が徐々に上がり、感温磁性材料９６が磁性を失うと、開閉板９２ａから９２ｃは閉じる。
【００７８】
このように、ダンパー開閉機構が温調を行う空間付近に無くても、この空間の温度に基づいた温調を行うことができる。
【００７９】
次に、前述のダンパー開閉機構を低温下で使用するときの、凍結防止対策の例を説明する。
【００８０】
低温下では、ダンパー開閉機構周辺の水分が凍結し、ダンパー開閉機構の動きを妨げる可能性がある。これを防止するために、ダンパー開閉機構の近傍に吸湿材、または調湿材等を用いて、ダンパー開閉機構周辺の水分を取り除く手法が考えられる。
【００８１】
また、ダンパー開閉機構の構成部品はなるべく熱伝導性の低い材料（断熱性を有する材料を含む）を用いることが望ましい。熱伝導性の高い材料の周辺は結露しやすく、結露水が凍結する可能性が高くなるからである。例えば、構成部品として樹脂材料を用いたり、この樹脂材料の内部を中空にしたり、またはウレタン等の断熱材料を用いることが考えられる。
【００８２】
他にも、ダンパー開閉機構の周辺にセラミックヒーター等の凍結防止ヒータを設けて、凍結を防止する手法も考えられる。
【００８３】
以上のように、キュリー温度を基準として磁性を得失する感温磁性材料と磁石を利用した駆動装置と、風路を連通または遮断する開閉機構で構成され、主に冷却機器による温調を行うための小型、薄型ダンパー開閉機構を構成したことにより、省スペース、省配線の風路構成が可能である。
【産業上の利用可能性】
【００８４】
本発明のダンパー開閉機構は、駆動源の小型化と無電力化が可能となり、風路の省スペース化が実現でき、且つ無配線で冷却機器による温調を行うことができ、冷蔵庫、車用エアコンのような温調を行う冷却機器に応用することが出来る。
【図面の簡単な説明】
【００８５】
【図１】本発明の実施の形態１におけるダンパー開閉機構を設けた冷蔵庫の側面断面図
【図２】同実施の形態において風路内にダンパー開閉機構を斜めに設けた冷蔵庫の側面断面図
【図３】（ａ）同実施の形態の感温磁性材料と永久磁石を利用した駆動装置を示す例図（ｂ）同実施の形態の感温磁性材料と永久磁石を利用した駆動装置を示す例図
【図４】本実施の形態においてスライド開閉するダンパー開閉機構の斜視図
【図５】本実施の形態においてスライド開閉するダンパー開閉機構が開いているときの側面断面図
【図６】本実施の形態においてスライド開閉するダンパー開閉機構が閉じているときの側面断面図
【図７】本実施の形態におけるアイリスシャッター形状の開閉機構を持つダンパー開閉機構の正面図
【図８】本実施の形態におけるアイリスシャッター形状の開閉機構の詳細図
【図９】本実施の形態のヒンジ部を軸として回転開閉動作するダンパー開閉機構の側面断面図
【図１０】本実施の形態のヒンジ部を軸として回転開閉動作するダンパー開閉機構において感温磁性材料を温調空間に設けた機構の側面断面図
【図１１】従来の冷蔵庫の断面図
【図１２】従来の加熱調理器の側面断面図
【符号の説明】
【００８６】
１０，２３，５１  風路
１７，１８，１９，２０，２１  ダンパー開閉機構
２２ａ、２２ｂ  ダンパー開閉機構
３１  永久磁石
３２  感温磁性材料
４１  固定板
４３  磁石
４５  可動板
４７  感温磁性材料
４９  ダンパー開閉機構
５３ａ，５３ｂ，５３ｃ，５３ｄ  吐出口
６０  ダンパー開閉機構
６１  シャッター
６６  固定板
７０  駆動装置
８０  ダンパー開閉機構
８１ａ，８１ｂ，８１ｃ  ヒンジ部
８２ａ，８２ｂ，８２ｃ  開閉板
８３ａ，８３ｂ，８３ｃ  感温磁性材料
８４ａ，８４ｂ，８４ｃ  磁石
９０  ダンパー開閉機構
９１ａ，９１ｂ，９１ｃ  ヒンジ部
９２ａ，９２ｂ，９２ｃ  開閉板
９５  磁石
９６  感温磁性材料
【図１】
2007120801.tif 000003
【図２】
2007120801.tif 000004
【図３】
2007120801.tif 000005
【図４】
2007120801.tif 000006
【図５】
2007120801.tif 000007
【図６】
2007120801.tif 000008
【図７】
2007120801.tif 000009
【図８】
2007120801.tif 000010
【図９】
2007120801.tif 000011
【図１０】
2007120801.tif 000012
【図１１】
2007120801.tif 000013
【図１２】
2007120801.tif 000014